(57)【要約】【課題】  多数の異なる型式の生産物の生産計画方法において、必要な部品を過不足なく発注することができ、生産者及び部品生産者での部品の管理が簡素なものとなるようにする。【解決手段】  毎日又は所定日数毎に設定期限Ｌ１を設定する。設定期限Ｌ１の属する日から所定生産日数の後にどの型式の生産物をいくらの数量だけ生産して完成させるかと言う生産計画Ｋ１１，Ｋ１２，Ｋ２１，Ｋ２２を、生産物の型式に対応して設定期限Ｌ１までに複数作成し本登録Ｔ２する。複数の生産計画Ｋ１１，Ｋ１２，Ｋ２１，Ｋ２２の全てが設定期限Ｌ１までに作成され本登録Ｔ２された状態で、全ての本登録Ｔ２された生産計画Ｋ１１，Ｋ１２，Ｋ２１，Ｋ２２に基づいて必要な部品を発注する。【選択図】        図１
2007200196.tif 000002
【特許請求の範囲】
【請求項１】
多数の異なる型式の生産物に対して、どの型式の生産物をいくらの数量だけ生産して完成させるかと言う生産計画を作成し、生産計画に基づいて必要な部品を発注する生産計画方法において、
毎日又は所定日数毎に設定期限を設定し、
前記設定期限の属する日から所定生産日数の後にどの型式の生産物をいくらの数量だけ生産して完成させるかと言う生産計画を、生産物の型式に対応して前記設定期限までに複数作成し本登録して、
複数の生産計画の全てが設定期限までに作成され本登録された状態で、全ての本登録された生産計画に基づいて必要な部品を発注する生産計画方法。
【請求項２】
生産計画を作成し前登録する担当者と、前登録された生産計画を承認し本登録する管理者とを設定して、
担当者が全ての生産計画を設定期限までに作成し前登録して、管理者が全ての前登録された生産計画を設定期限までに承認し本登録することにより、全ての本登録された生産計画に基づいて必要な部品を発注する請求項１に記載の生産計画方法。
【請求項３】
前記設定期限までに本登録されない生産計画が存在すると、本登録されない生産計画を本登録された生産計画とすることにより、全ての本登録された生産計画に基づいて必要な部品を発注する請求項１又は２に記載の生産計画方法。
【請求項４】
前記設定期限までに本登録されない生産計画が存在すると、本登録されない生産計画に対応するもので前回の設定期限で本登録された生産計画を、本登録された生産計画とすることにより、全ての本登録された生産計画に基づいて必要な部品を発注する請求項１〜３のうちのいずれか一つに記載の生産計画方法。
【請求項５】
担当者が生産計画を作成し前登録するまでにおいて、担当者が作成した生産計画に必要な部品が発注可能な部品であるか否かを検討する発注検討機能を備えている請求項２〜４のうちのいずれか一つに記載の生産計画方法。
【請求項６】
担当者が生産計画を作成し前登録した後から生産計画を管理者が承認し本登録するまでの間は、前登録された生産計画の担当者による修正を排除する排他機能を備えている請求項２〜５のうちのいずれか一つに記載の生産計画方法。
【請求項７】
部品の在庫情報に基づいて、全ての本登録された生産計画に基づいて必要な部品を発注する請求項１〜６のうちのいずれか一つに記載の生産計画方法。
【発明の詳細な説明】
【技術分野】
【０００１】
本発明は、多数の異なる型式の生産物の生産計画方法に関する。
【背景技術】
【０００２】
顧客に製品を販売する販売者と製品を生産する生産者との間において、販売者からの注文に基づいて生産者が生産し、生産した製品を生産者が販売者に供給して、販売者が顧客に販売していく受注生産があり、この受注生産は多数の異なる型式の生産物の生産に適している。
【０００３】
この場合、多数の異なる型式の生産物に応じた注文が、毎日のように継続的に生産者に入ってくるのであり、生産者において異なる型式の生産物に応じて、多数の担当者が設定されていることが多い。これにより、入ってくる注文に応じて担当者は、現在から設定日数後（例えば７〜１０日後）に、自身の担当のどの型式の生産物をいくらの数量だけ生産して完成させるかと言う生産計画を作成するのであり、作成された生産計画に基づいて必要な部品が生産者から部品生産者に発注される。
【０００４】
【特許文献１】特開２００４−２９８７４号公報
【発明の開示】
【発明が解決しようとする課題】
【０００５】
前述のように、異なる型式の生産物に応じて多数の担当者が設定されて、担当者が自身の担当の型式の生産物の生産計画を作成する場合であると、担当者に応じて多数の生産計画が互いに独立に作成されることになる。
これにより、多数の生産計画が互いに独立に作成された状態において、各々の生産計画に基づいて必要な部品が生産者から部品生産者に発注されると、例えば２つの生産計画で同じ部品が使用される場合、一つの生産計画に基づいて部品が生産者から部品生産者に発注された後、別の生産計画に基づいて同じ部品が生産者から部品生産者に発注されると言うように、同じ部品において２つの発注が別々に生産者から部品生産者に発注されるような状態の生じることが考えられる。
【０００６】
従って、同じ部品において２つの発注が別々に生産者から部品発注者に発注されるような状態が生じると、同じ部品でありながら多数の注文書が生産者及び部品生産者において発生する状態となり、生産者及び部品生産者での部品の管理が煩雑なものとなる。
本発明は多数の異なる型式の生産物の生産計画方法において、必要な部品を過不足なく発注することができるようにすることを目的としており、生産者及び部品生産者での部品の管理が簡素なものとなるようにすることを目的としている。
【課題を解決するための手段】
【０００７】
［Ｉ］
（構成）
本発明の第１特徴は、多数の異なる型式の生産物に対して、どの型式の生産物をいくらの数量だけ生産して完成させるかと言う生産計画を作成し、生産計画に基づいて必要な部品を発注する生産計画方法において、次のように構成することにある。
毎日又は所定日数毎に設定期限を設定する。設定期限の属する日から所定生産日数の後にどの型式の生産物をいくらの数量だけ生産して完成させるかと言う生産計画を、生産物の型式に対応して設定期限までに複数作成し本登録する。複数の生産計画の全てが設定期限までに作成され本登録された状態で、全ての本登録された生産計画に基づいて必要な部品を発注する。
【０００８】
（作用）
本発明の第１特徴によると、入ってくる注文に応じて、設定期限の属する日から所定生産日数の後にどの型式の生産物をいくらの数量だけ生産して完成させるかと言う生産計画が、作成されて本登録される（例えば、設定期限の属する日が本日であると、本日から所定生産日数の後にどの型式の生産物をいくらの数量だけ生産して完成させるかと言う生産計画が、作成されて本登録される）。
この場合、多数の異なる型式の生産物により、異なる生産計画が複数作成されて本登録されるのであり、入ってくる注文により、複数の生産計画が同時に本登録されることはなく、複数の生産計画が互いに時間がずれながら本登録される。
【０００９】
本発明の第１特徴によると、前述のように複数の生産計画が互いに時間がずれながら本登録される状態である場合、一つの生産計画が作成され本登録される毎に本登録された一つの生産計画に基づいて必要な部品の発注を行うのではなく、複数の生産計画の全てが作成され本登録されるのを設定期限まで待つのであり、この後に複数の生産計画の全てが設定期限までに作成され本登録された状態において、全ての本登録された生産計画に基づいて必要な部品を発注する。
【００１０】
本発明の第１特徴のように、全ての本登録された生産計画に基づいて必要な部品を発注すると、全ての本登録された生産計画において例えば発注の前に、どのような部品がいくらの個数だけ必要であるかを計算することができ、共通の部品があれば共通の部品をまとめることができるのであり、全ての本登録された生産計画に基づいて必要な部品を、重複なく及び漏れなく（過不足なく）発注することができる。
【００１１】
本発明の第１特徴によると、前述のように共通の部品があれば共通の部品をまとめることができることにより、［発明が解決しようとする課題］に記載のように、一つの生産計画に基づいて部品が生産者から部品生産者に発注された後、別の生産計画に基づいて同じ部品が生産者から部品生産者に発注されると言うように、同じ部品において２つの発注が別々に生産者から部品生産者に発注されるような状態を少なくすることができる。これにより、同じ部品でありながら多数の注文書が生産者及び部品生産者において発生する状態を少なくすることができる。
【００１２】
（発明の効果）
本発明の第１特徴によると、多数の異なる型式の生産物の生産計画方法において、全ての本登録された生産計画に基づいて必要な部品を、重複なく及び漏れなく（過不足なく）発注することができる点、並びに、同じ部品でありながら多数の注文書が生産者及び部品生産者において発生する状態を少なくすることができ、生産者及び部品生産者での部品の管理が簡素なものとなるようにすることができる点により、生産効率の向上を図ることができた。
【００１３】
［ＩＩ］
（構成）
本発明の第２特徴は、本発明の第１特徴の生産計画方法において次のように構成することにある。
生産計画を作成し前登録する担当者と、前登録された生産計画を承認し本登録する管理者とを設定する。担当者が全ての生産計画を設定期限までに作成し前登録して、管理者が全ての前登録された生産計画を設定期限までに承認し本登録することにより、全ての本登録された生産計画に基づいて必要な部品を発注する。
【００１４】
（作用）
本発明の第２特徴によると、本発明の第１特徴と同様に前項［Ｉ］に記載の「作用」を備えており、これに加えて以下のような「作用」を備えている。
前項［Ｉ］に記載のように、入ってくる注文に応じて生産計画が作成されて本登録されるまでにおいて、本発明の第２特徴によると、生産計画を作成し前登録して、前登録された生産計画を承認し本登録すると言う段階を設定しており、生産計画を作成し前登録する担当者と、前登録された生産計画を承認し本登録する管理者とを別々に設定している。
これにより、管理者は担当者の生産計画の作成の進捗状況を確認して、複数の生産計画の全てが設定期限までに作成され本登録されるように管理したり、担当者及び管理者により一つの生産計画を互いに異なった角度から検討したりすることができる。
【００１５】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、複数の生産計画の全てが設定期限までに作成され本登録されるように管理したり、一つの生産計画を異なった角度から検討したりすることができるようになって、生産計画の作成の精度を高めることができ、生産効率の向上を図ることができた。
【００１６】
［ＩＩＩ］
（構成）
本発明の第３特徴は、本発明の第１又は第２特徴の生産計画方法において次のように構成することにある。
設定期限までに本登録されない生産計画が存在すると、本登録されない生産計画を本登録された生産計画とすることにより、全ての本登録された生産計画に基づいて必要な部品を発注する。
【００１７】
（作用）
本発明の第３特徴によると、本発明の第１又は第２特徴と同様に前項［Ｉ］［ＩＩ］に記載の「作用」を備えており、これに加えて以下のような「作用」を備えている。
前項［Ｉ］［ＩＩ］に記載のように、複数の生産計画の全てが作成され本登録されるのを設定期限まで待つ場合、本発明の第３特徴によれば、設定期限までに本登録されない生産計画（例えば作成は一度終了しているが修正等の必要から本登録が遅れているような生産計画）が存在すると、本登録されない生産計画が本登録された生産計画とされて、全ての本登録された生産計画に基づいて必要な部品が発注される。
これにより、本登録されない生産計画が本登録された生産計画とされることによって、生産計画の精度は少し低下するが、必要な部品の発注が遅れると言う事態を避けることができる。
【００１８】
（発明の効果）
本発明の第３特徴によると、本発明の第１又は第２特徴と同様に前項［Ｉ］［ＩＩ］に記載の「発明の効果」を備えており、これに加えて以下のような「発明の効果」を備えている。
本発明の第３特徴によると、本登録されない生産計画が本登録された生産計画とされることによって、生産計画の精度は少し低下するが、必要な部品の発注が遅れると言う事態を避けることができるようになり、生産効率の低下を避けることができた。
【００１９】
［ＩＶ］
（構成）
本発明の第４特徴は、本発明の第１〜第３特徴の生産計画方法のうちのいずれか一つにおいて次のように構成することにある。
設定期限までに本登録されない生産計画が存在すると、本登録されない生産計画に対応するもので前回の設定期限で本登録された生産計画を、本登録された生産計画とすることにより、全ての本登録された生産計画に基づいて必要な部品を発注する。
【００２０】
（作用）
本発明の第４特徴によると、本発明の第１〜第３特徴のうちのいずれか一つと同様に前項［Ｉ］〜［ＩＩＩ］に記載の「作用」を備えており、これに加えて以下のような「作用」を備えている。
前項［Ｉ］［ＩＩ］に記載のように、複数の生産計画の全てが作成され本登録されるのを設定期限まで待つ場合、本発明の第４特徴によれば、設定期限までに本登録されない生産計画（例えば作成が遅れ、これに伴って本登録が遅れているような生産計画）が存在すると、本登録されない生産計画に対応するもので前回の設定期限で本登録された生産計画が本登録された生産計画とされて、全ての本登録された生産計画に基づいて必要な部品が発注される。
これにより、本登録されない生産計画に対応するもので前回の設定期限で本登録された生産計画が本登録された生産計画とされることによって、生産計画の精度は少し低下するが、必要な部品の発注が遅れると言う事態を避けることができる。
【００２１】
（発明の効果）
本発明の第４特徴によると、本発明の第１〜第３特徴のうちのいずれか一つと同様に前項［Ｉ］〜［ＩＩＩ］に記載の「発明の効果」を備えており、これに加えて以下のような「発明の効果」を備えている。
本発明の第４特徴によると、本登録されない生産計画に対応するもので前回の設定期限で本登録された生産計画が本登録された生産計画とされることによって、生産計画の精度は少し低下するが、必要な部品の発注が遅れると言う事態を避けることができるようになり、生産効率の低下を避けることができた。
【００２２】
［Ｖ］
（構成）
本発明の第５特徴は、本発明の第２〜第４特徴の生産計画方法のうちのいずれか一つにおいて次のように構成することにある。
担当者が生産計画を作成し前登録するまでにおいて、担当者が作成した生産計画に必要な部品が発注可能な部品であるか否かを検討する発注検討機能を備えている。
【００２３】
（作用）
本発明の第５特徴によると、本発明の第２〜第４特徴のうちのいずれか一つと同様に前項［ＩＩ］〜［ＩＶ］に記載の「作用」を備えており、これに加えて以下のような「作用」を備えている。
本発明の第５特徴によると、発注検討機能により担当者は作成中（前登録前）の生産計画が、適正なものであるかを（発注不可の部品が含まれていないかを）判断することができるのであり、担当者は作成した生産計画が適正なものであることを確認した後に前登録することができる。
【００２４】
（発明の効果）
本発明の第５特徴によると、本発明の第２〜第４特徴のうちのいずれか一つと同様に前項［ＩＩ］〜［ＩＶ］に記載の「発明の効果」を備えており、これに加えて以下のような「発明の効果」を備えている。
本発明の第５特徴によると、発注検討機能により作成中（前登録前）の生産計画が、適正なものであるかを（発注不可の部品が含まれていないかを）判断することができるようになり、不適性な生産計画による生産効率の低下を避けることができた。
【００２５】
［ＶＩ］
（構成）
本発明の第６特徴は、本発明の第２〜第５特徴の生産計画方法のうちのいずれか一つにおいて次のように構成することにある。
担当者が生産計画を作成し前登録した後から生産計画を管理者が承認し本登録するまでの間は、前登録された生産計画の担当者による修正を排除する排他機能を備えている。
【００２６】
（作用）
本発明の第６特徴によると、本発明の第２〜第５特徴のうちのいずれか一つと同様に前項［ＩＩ］〜［Ｖ］に記載の「作用」を備えており、これに加えて以下のような「作用」を備えている。
前項［ＩＩ］に記載のように、担当者が生産計画を作成し前登録した後、管理者が前登録された生産計画を承認している間（本登録するまでの間）、本発明の第６特徴によると担当者が前登録された生産計画を修正しようとしても、担当者は前登録された生産計画を修正することができない。これにより、管理者が前登録された生産計画の内容を検討している際に前登録された生産計画が修正されてしまい、管理者が前登録された生産計画の内容を適切に検討することができないと言う状態を避けることができる。
【００２７】
（発明の効果）
本発明の第６特徴によると、本発明の第２〜第５特徴のうちのいずれか一つと同様に前項［ＩＩ］〜［Ｖ］に記載の「発明の効果」を備えており、これに加えて以下のような「発明の効果」を備えている。
本発明の第６特徴によると、管理者が前登録された生産計画の内容を適切に検討することができないと言う状態を避けることができるようになって、適切に検討されていない生産計画が承認及び本登録されることによる生産効率の低下を避けることができた。
【００２８】
［ＶＩＩ］
（構成）
本発明の第７特徴は、本発明の第１〜第６特徴の生産計画方法のうちのいずれか一つにおいて次のように構成することにある。
部品の在庫情報に基づいて、全ての本登録された生産計画に基づいて必要な部品を発注する。
【００２９】
（作用）
本発明の第７特徴によると、本発明の第１〜第６特徴のうちのいずれか一つと同様に前項［Ｉ］〜［ＶＩ］に記載の「作用」を備えており、これに加えて以下のような「作用」を備えている。
本発明の第７特徴によると、部品の在庫情報に基づいて、全ての本登録された生産計画に基づいて必要な部品を発注するので、例えば部品在庫に必要な部品があれば、これを生産計画に使用することにより、部品在庫にある必要な部品を発注から差し引くと言うようなことを行うことができる。
【００３０】
（発明の効果）
本発明の第７特徴によると、本発明の第１〜第６特徴のうちのいずれか一つと同様に前項［Ｉ］〜［ＶＩ］に記載の「発明の効果」を備えており、これに加えて以下のような「発明の効果」を備えている。
本発明の第７特徴によると、例えば部品在庫に必要な部品があれば、部品在庫にある必要な部品を発注から差し引くと言うようなことを行うことができるようになって、全ての本登録された生産計画に基づいて必要な部品を、重複なく及び漏れなく（過不足なく）発注することができ、生産効率の向上を図ることができた。
【発明を実施するための最良の形態】
【００３１】
例えば、農用トラクタやコンバイン等の農業機械のように、多数の異なる型式Ｓ１１，Ｓ１２，Ｓ２１，Ｓ２２を備えた生産物のコンピュータによる生産計画方法について、図１及び図２に基づいて説明する。
生産者（製品メーカー）において、異なる型式Ｓ１１，Ｓ１２，Ｓ２１，Ｓ２２の生産物に応じて多数の担当者Ａ１，Ａ２が設定されており、担当者Ａ１，Ａ２に対して管理者Ｂ１が設定されている。多数の異なる型式Ｓ１１，Ｓ１２，Ｓ２１，Ｓ２２の生産物に応じた注文が、毎日のように継続的に生産者（製品メーカー）に入ってくる。
【００３２】
［１］
担当者Ａ１，Ａ２による生産計画Ｋ１１，Ｋ１２，Ｋ２１，Ｋ２２の作成及び前登録Ｔ１について説明する。
入ってくる注文に応じて担当者Ａ１が、自身の担当する型式Ｓ１１，Ｓ１２の生産物を所定個数の数量だけ生産して、現在から設定日数後（例えば７〜１０日後）に完成させるべきであると判断すると、担当者Ａ１は型式Ｓ１１，Ｓ１２の生産物に対応する生産計画Ｋ１１，Ｋ１２を、コンピュータにより作成する。これと同様に入ってくる注文に応じて担当者Ａ２が、自身の担当する型式Ｓ２１，Ｓ２２の生産物を所定個数の数量だけ生産して、現在から設定日数後（例えば７〜１０日後）に完成させるべきであると判断すると、担当者Ａ２は型式Ｓ２１，Ｓ２２の生産物に対応する生産計画Ｋ２１，Ｋ２２を、コンピュータにより作成する。
【００３３】
担当者Ａ１，Ａ２が生産計画Ｋ１１，Ｋ１２，Ｋ２１，Ｋ２２の作成を終了し、生産計画Ｋ１１，Ｋ１２，Ｋ２１，Ｋ２２に変更の必要がないと判断すると（確定）、担当者Ａ１，Ａ２は生産計画Ｋ１１，Ｋ１２，Ｋ２１，Ｋ２２を、コンピュータにより前登録Ｔ１する。
担当者Ａ１，Ａ２が生産計画Ｋ１１，Ｋ１２，Ｋ２１，Ｋ２２を作成し前登録Ｔ１するまでの間において、管理者Ｂ１は生産計画Ｋ１１，Ｋ１２，Ｋ２１，Ｋ２２を、コンピュータにより任意に読み取ることができ（読取専用）、担当者Ａ１，Ａ２の生産計画Ｋ１１，Ｋ１２，Ｋ２１，Ｋ２２の作成の進捗状況を確認することができるのであり、生産計画Ｋ１１，Ｋ１２，Ｋ２１，Ｋ２２に作成の遅れているものがあると、担当者Ａ１，Ａ２に作成の遅れを取り戻すように督促する。
【００３４】
この場合、発注検討機能がコンピュータに備えられており、発注検討機能により生産計画Ｋ１１，Ｋ１２，Ｋ２１，Ｋ２２に必要な部品が発注可能な部品であるか否かを検討（シミュレーション及び確認）することができる（例えば、設計及び仕様変更中でまだ形状及び仕様が確定していない部品や、部品生産者（部品メーカー）との間で価格交渉中でまだ価格が決定していない部品等のような発注不可の部品を検出する機能）。
【００３５】
これにより、担当者Ａ１，Ａ２は生産計画Ｋ１１，Ｋ１２，Ｋ２１，Ｋ２２を作成し前登録Ｔ１するまでの間、発注検討機能を生産計画Ｋ１１，Ｋ１２，Ｋ２１，Ｋ２２に随時適用することにより、生産計画Ｋ１１，Ｋ１２，Ｋ２１，Ｋ２２が適正なものであるかを（発注不可の部品が含まれていないかを）判断することことができるのであり、担当者Ａ１，Ａ２は生産計画Ｋ１１，Ｋ１２，Ｋ２１，Ｋ２２が適正なものであることを確認した後に前登録Ｔ１する。このように、担当者Ａ１，Ａ２は生産計画Ｋ１１，Ｋ１２，Ｋ２１，Ｋ２２が適正なものであることを確認した後に前登録Ｔ１するので、担当者Ａ１，Ａ２により生産計画Ｋ１１，Ｋ１２，Ｋ２１，Ｋ２２が、同時に前登録Ｔ１されることは少なく、時間がずれながら生産計画Ｋ１１，Ｋ１２，Ｋ２１，Ｋ２２が前登録Ｔ１されることが多い。
【００３６】
［２］
次に、管理者Ｂ１による生産計画Ｋ１１，Ｋ１２，Ｋ２１，Ｋ２２の承認及び本登録Ｔ２について説明する。
前項［１］に記載のように、担当者Ａ１，Ａ２が生産計画Ｋ１１，Ｋ１２，Ｋ２１，Ｋ２２を作成し前登録Ｔ１すると、管理者Ｂ１は前登録Ｔ１された生産計画Ｋ１１，Ｋ１２，Ｋ２１，Ｋ２２の内容を検討する。管理者Ｂ１が前登録Ｔ１された生産計画Ｋ１１，Ｋ１２，Ｋ２１，Ｋ２２について適切であると判断（承認）すると、管理者Ｂ１は前登録Ｔ１された生産計画Ｋ１１，Ｋ１２，Ｋ２１，Ｋ２２を、コンピュータにより本登録Ｔ２する。
【００３７】
この場合に、担当者Ａ１，Ａ２が生産計画Ｋ１１，Ｋ１２，Ｋ２１，Ｋ２２を作成し前登録Ｔ１した後から、生産計画Ｋ１１，Ｋ１２，Ｋ２１，Ｋ２２を管理者Ｂ１が承認し本登録Ｔ２するまでの間、担当者Ａ１，Ａ２が前登録Ｔ１された生産計画Ｋ１１，Ｋ１２，Ｋ２１，Ｋ２２を修正しようとしても、この修正が排除されるのであり（排他機能に相当）、担当者Ａ１，Ａ２は前登録Ｔ１された生産計画Ｋ１１，Ｋ１２，Ｋ２１，Ｋ２２を修正することができない。しかし、担当者Ａ１，Ａ２は前登録Ｔ１された生産計画Ｋ１１，Ｋ１２，Ｋ２１，Ｋ２２を任意に読み取ることができ（読取専用）、前登録Ｔ１された生産計画Ｋ１１，Ｋ１２，Ｋ２１，Ｋ２２を確認することができる。
【００３８】
例えば、管理者Ｂ１が前登録Ｔ１された生産計画Ｋ２２に修正を施す必要があると判断した場合には、管理者Ｂ１は生産計画Ｋ２２の前登録Ｔ１を解除し、生産計画Ｋ２２を担当者Ａ２に差し戻す。生産計画Ｋ２２が担当者Ａ２に差し戻されると、担当者Ａ２は生産計画Ｋ２２に修正を施し、前項［１］に記載の発注検討機構を生産計画Ｋ２２に随時適用することにより、生産計画Ｋ２２が適正なものであることを確認した後に再び前登録Ｔ１する。
【００３９】
次に管理者Ｂ１は再び前登録Ｔ１された生産計画Ｋ２２の内容を検討し、前登録Ｔ１された生産計画Ｋ２２について適切であると判断（承認）すると、管理者Ｂ１は前登録Ｔ１された生産計画Ｋ２２を本登録Ｔ２する。この場合に、担当者Ａ２が生産計画Ｋ２２を修正し前登録Ｔ１した後から、生産計画Ｋ２２を管理者Ｂ１が承認し本登録Ｔ２するまでの間、担当者Ａ２が前登録Ｔ１された生産計画Ｋ２２を修正しようとしても、この修正が排除されるのであり（排他機能に相当）、担当者Ａ２は前登録Ｔ１された生産計画Ｋ２２を修正することができない。しかし、担当者Ａ２は前登録Ｔ１された生産計画Ｋ２２を任意に読み取ることができ（読取専用）、前登録Ｔ１された生産計画Ｋ２２を確認することができる。
【００４０】
［３］
次に、全ての本登録Ｔ２された生産計画Ｋ１１，Ｋ１２，Ｋ２１，Ｋ２２に基づいて必要な部品を発注する状態について説明する。
１日において例えば午後４時〜午後８時の間に、設定期限Ｌ１が設定されている。これにより、設定生産範囲（生産計画Ｋ１１，Ｋ１２，Ｋ２１，Ｋ２２）において、担当者Ａ１，Ａ２は前項［１］に記載の生産計画Ｋ１１，Ｋ１２，Ｋ２１，Ｋ２２の作成及び前登録Ｔ１を、全て設定期限Ｌ１までに行う必要があり、管理者Ｂ１は前項［２］に記載の生産計画Ｋ１１，Ｋ１２，Ｋ２１，Ｋ２２の承認及び本登録Ｔ２を、全て設定期限Ｌ１までに行う必要がある。このことについて言い換えると、設定生産範囲（生産計画Ｋ１１，Ｋ１２，Ｋ２１，Ｋ２２）において、担当者Ａ１，Ａ２が生産計画Ｋ１１，Ｋ１２，Ｋ２１，Ｋ２２の作成及び前登録Ｔ１を全て設定期限Ｌ１までに行うまで、管理者Ｂ１は待機することになる。
【００４１】
前述のように設定生産範囲（生産計画Ｋ１１，Ｋ１２，Ｋ２１，Ｋ２２）において、全ての生産計画Ｋ１１，Ｋ１２，Ｋ２１，Ｋ２２の作成及び前登録Ｔ１、全ての生産計画Ｋ１１，Ｋ１２，Ｋ２１，Ｋ２２の承認及び本登録Ｔ２が設定期限Ｌ１までに行われると、全ての本登録Ｔ２された生産計画Ｋ１１，Ｋ１２，Ｋ２１，Ｋ２２に基づいて、コンピュータにより必要な部品の所要量計算が行われる。所要量計算では、全ての本登録Ｔ２された生産計画Ｋ１１，Ｋ１２，Ｋ２１，Ｋ２２において、どのような部品がいくらの個数だけ必要であるかが計算されるのであり、共通の部品があれば、この共通の部品がまとめられる。
【００４２】
この場合、所要量計算と生産者（製品メーカー）の部品の在庫情報とが照合されて、生産者（製品メーカー）の部品在庫に必要な部品があれば、部品在庫にある必要な部品が所要量計算から差し引かれる。このように生産者（製品メーカー）に部品在庫が発生しているのは、例えば比較的小さな部品で、所定個数まとめて生産しないと部品生産者（部品メーカー）での生産効率が悪くなったり、所定個数まとめて輸送しないと運送業者での運送効率が悪くなったりして、部品単価が高くなる場合、必要な部品が所定個数まとめて発注されることがあり、これによる余りが発生することによる。
【００４３】
前述のようにして、全ての本登録Ｔ２された生産計画Ｋ１１，Ｋ１２，Ｋ２１，Ｋ２２に基づいて、必要な部品の所要量計算が行われると、所要量計算に基づいて必要な部品の発注が部品生産者（部品メーカー）に対して行われる。例えば午後４時〜午後８時の間に設定期限Ｌ１が設定されていると、設定期限Ｌ１から数時間をかけて必要な部品の所要量計算が行われ、その日の夜中から翌日の早朝にかけて、必要な部品の発注が部品生産者（部品メーカー）に対して行われる。
【００４４】
以上のように、全ての生産計画Ｋ１１，Ｋ１２，Ｋ２１，Ｋ２２の作成及び前登録Ｔ１（設定期限Ｌ１まで）、全ての生産計画Ｋ１１，Ｋ１２，Ｋ２１，Ｋ２２の承認及び本登録Ｔ２（設定期限Ｌ１まで）、必要な部品の所要量計算及び所要量計算に基づく必要な部品の部品生産者（部品メーカー）への発注が、毎日繰り返して行われる。
この場合、生産計画Ｋ１１，Ｋ１２，Ｋ２１，Ｋ２２の作成及び前登録Ｔ１や承認及び本登録Ｔ２は、設定期限Ｌ１の属する日に行う必要はなく、入ってくる注文に応じて設定期限Ｌ１の属する日の前日や前々日に行ってもよい。設定期限Ｌ１を毎日設定せずに、２日に一度や３日に一度設定したり、特定の曜日に設定したりしてもよい。
【００４５】
［４］
次に、設定生産範囲（生産計画Ｋ１１，Ｋ１２，Ｋ２１，Ｋ２２）において、生産計画Ｋ１１，Ｋ１２，Ｋ２１，Ｋ２２のうち、設定期限Ｌ１までに作成及び前登録Ｔ１や承認及び本登録Ｔ２が行われないものが発生した場合について説明する。
例えば、担当者Ａ２が生産計画Ｋ２２を作成し前登録Ｔ１したが、管理者Ｂ１が修正を施す必要があると判断して生産計画Ｋ２２を担当者Ａ２に差し戻して、担当者Ａ２による生産計画Ｋ２２の修正が遅れている場合や、担当者Ａ２が生産計画Ｋ２２を作成し前登録Ｔ１したが、管理者Ｂ１による生産計画Ｋ２２の承認及び本登録Ｔ２が遅れた場合等のように、管理者Ｂ１による生産計画Ｋ２２の承認及び本登録Ｔ２が設定期限Ｌ１までに行われない状態になると、最初に作成及び前登録Ｔ１された生産計画Ｋ２２（承認及び本登録Ｔ２されていない生産計画Ｋ２２）が、コンピュータにより自動的に承認及び本登録Ｔ２される。
【００４６】
これにより、設定生産範囲（生産計画Ｋ１１，Ｋ１２，Ｋ２１，Ｋ２２）において、全ての生産計画Ｋ１１，Ｋ１２，Ｋ２１，Ｋ２２の作成及び前登録Ｔ１、全ての生産計画Ｋ１１，Ｋ１２，Ｋ２１，Ｋ２２の承認及び本登録Ｔ２が設定期限Ｌ１までに行われた状態となって、前項［３］に記載のように、全ての本登録Ｔ２された生産計画Ｋ１１，Ｋ１２，Ｋ２１，Ｋ２２に基づいて、必要な部品の所要量計算が行われる（以上、設定期限までに本登録されない生産計画が存在すると、本登録されない生産計画を本登録された生産計画とすることにより、全ての本登録された生産計画に基づいて必要な部品を発注する状態に相当）。
【００４７】
例えば、生産計画Ｋ２２の中に存在する未確定な部分の確定が遅れたりした場合や、発注検討機能の適用により生産計画Ｋ２２が適正でない（発注不可の部品が含まれている）ことが発見され、担当者Ａ２が生産計画Ｋ２２の修正に手間取っている場合等のように、担当者Ａ２による生産計画Ｋ２２の作成及び前登録Ｔ１が設定期限Ｌ１までに行われない状態になると、生産計画Ｋ２２に対応するもので前日の設定期限Ｌ１で本登録Ｔ２された生産計画が、コンピュータにより自動的に生産計画Ｋ２２として承認及び本登録Ｔ２される。
【００４８】
これにより、設定生産範囲（生産計画Ｋ１１，Ｋ１２，Ｋ２１，Ｋ２２）において、全ての生産計画Ｋ１１，Ｋ１２，Ｋ２１，Ｋ２２の作成及び前登録Ｔ１、全ての生産計画Ｋ１１，Ｋ１２，Ｋ２１，Ｋ２２の承認及び本登録Ｔ２が設定期限Ｌ１までに行われた状態となって、前項［３］に記載のように、全ての本登録Ｔ２された生産計画Ｋ１１，Ｋ１２，Ｋ２１，Ｋ２２に基づいて、必要な部品の所要量計算が行われる（以上、設定期限までに本登録されない生産計画が存在すると、本登録されない生産計画に対応するもので前回の設定期限で本登録された生産計画を、本登録された生産計画とすることにより、全ての本登録された生産計画に基づいて必要な部品を発注する状態に相当）。
【００４９】
［発明の実施の別形態］
一つの製造所（生産者（製品メーカー））において、複数の設定生産範囲（生産計画Ｋ１１，Ｋ１２，Ｋ２１，Ｋ２２）を設定し、複数の設定生産範囲の各々において、担当者Ａ１，Ａ２による生産計画の作成及び前登録、管理者Ｂ１による生産計画の承認及び本登録、必要な部品の所要量計算及び所要量計算に基づく必要な部品の部品生産者（部品メーカー）への発注が行われるようにしてもよい。
【００５０】
一つの製造所（生産者（製品メーカー））においてではなく、複数の製造所（生産者（製品メーカー））において、前述のような複数の設定生産範囲の設定、担当者Ａ１，Ａ２による生産計画の作成及び前登録、管理者Ｂ１による生産計画の承認及び本登録、必要な部品の所要量計算及び所要量計算に基づく必要な部品の部品生産者（部品メーカー）への発注が行われるようにしてもよい。
【図面の簡単な説明】
【００５１】
【図１】生産計画において、担当者による生産計画の作成及び前登録から設定期限までの流れを示す図
【図２】生産計画において、設定期限から必要な部品の部品生産者（部品メーカー）への発注までの流れを示す図
【符号の説明】
【００５２】
Ａ１，Ａ２                      担当者
Ｂ１                            管理者
Ｋ１１，Ｋ１２，Ｋ２１，Ｋ２２  生産計画
Ｌ１                            設定期限
Ｓ１１，Ｓ１２，Ｓ２１，Ｓ２２  型式
Ｔ１                            前登録
Ｔ２                            本登録
【図１】
2007200196.tif 000003
【図２】
2007200196.tif 000004